(57)【要約】【課題】電池パックとして組み立てた際に端子窓からスルーホールが露出することなく、２層基板を適用可能で、かつ小型化可能な電池パック用保護回路基板及びこれを用いた電池パックを提供する。【解決手段】表面に−端子部４、サーミスタ端子部３及び＋端子部２が形成された電池パック用の保護回路基板１であって、−端子部４、サーミスタ端子部３及び＋端子部２は、エレクトロマイグレーション違反とならない間隔を空けて配置されており、サーミスタ端子部３及び＋端子部２は、−端子部４及びサーミスタ端子部３と隣接する側に切り欠き８、１０部を備え、−端子部４及びサーミスタ端子部３は、エレクトロマイグレーション違反とならない間隔を保ったまま切り欠き部８、１０へ張り出すように形成された凸部を備え、凸部には、電池パックのケースに収容された際に隠蔽される位置にスルーホール７、９が形成されている。【選択図】図２
2008098061.tif 000002
【特許請求の範囲】
【請求項１】
基板の表面に−端子、サーミスタ端子及び＋端子が形成された電池パック用の保護回路基板であって、
前記−端子、前記サーミスタ端子及び前記＋端子は、エレクトロマイグレーション違反とならない間隔を空けて配置されており、
前記−端子、前記サーミスタ端子及び前記＋端子の少なくとも何れかは、他の端子と隣接する側に切り欠きを備え、
前記他の端子は、エレクトロマイグレーション違反とならない間隔を保ったまま前記切り欠きへ張り出すように形成された凸部を備え、
前記凸部には、前記電池パックのケースに収容された際に隠蔽される位置にスルーホールが形成されたことを特徴とする電池パック用の保護回路基板。
【請求項２】
前記各端子は矩形状であることを特徴とする請求項１記載の電池パック用の保護回路基板。
【請求項３】
前記切り欠き及び前記凸部は、それぞれ端子の角の近傍に形成されていることを特徴とする請求項２記載の電池パック用の保護回路基板。
【請求項４】
前記切り欠き及び前記凸部は、それぞれ端子の辺の略中央部に形成されていることを特徴とする請求項２記載の電池パック用の保護回路基板。
【請求項５】
前記基板は、２層基板であることを特徴とする請求項１から４のいずれか１項記載の電池パック用保護回路基板。
【請求項６】
請求項１から５のいずれか１項記載の電池パック用保護回路基板を用いた電池パック。
【発明の詳細な説明】
【技術分野】
【０００１】
本発明は、電池パック用の保護回路基板及び電池パックに関し、特に、外部からスルーホールが見えない構成とした端子部を備えた電池パック用保護回路基板及びこれを用いた電池パックに関する。
【背景技術】
【０００２】
携帯端末などに用いられる電池パックは、リチウムイオン二次電池などの二次電池を過充電や過放電、短絡などから保護するために、電池保護回路を備えている。電池保護回路が形成された回路基板は、二次電池とともにケースに収容され、電池パックとして一体化される。
【０００３】
電池保護回路を備えた基板に関する従来技術として、特許文献１に開示される「電池保護回路を備えた二次電池」がある。
【特許文献１】特開２００６−５９５５３号公報
【発明の開示】
【発明が解決しようとする課題】
【０００４】
近年、携帯電話装置の小型化、薄型化に伴い、電池パックも小型化・薄型化が要求されている。そのため、電池パック用の保護回路基板に関しても同様に、小型化・薄型化が要求される。
【０００５】
このため、基板外形サイズも当然小さくなるが、電話機本体の接続信頼性を維持するためには、端子部の大きさは現状通りの大きさを確保しなければならない。従って、端子部分を基板いっぱいに配置する必要がある。
【０００６】
しかし、特許文献１に開示される発明は、＋端子や−端子、温度測定端子の間に島状の配線パターンが配置されている。上記のように近年の電池パックは小型化が要求されているが、このような構成では保護回路基板の小型化は難しく、ひいては電池パック自体の小型化の妨げとなる。
【０００７】
端子部にはスルーホールが必要であるが、電池パックとしては端子窓からスルーホールは見えない（露出しない）方が好ましい。これは、美観上の問題に加え、スルーホールが端子窓から露出していると、万が一薬品等が付着した際に、スルーホールを介して基板内部まで腐食が進行してしまう可能性があるためである。
【０００８】
４層基板を用いれば、小型の基板でも設計の自由度が高くなるため、この問題を解決しやすくなる。例えば、各端子が−端子、サーミスタ端子、＋端子の順に配列され、−端子と接続すべき部品の実装スペースが−端子の裏側のサーミスタ端子側にある場合、２層基板を用いるのであれば、スルーホールはサーミスタ端子側に設けなければならないが、４層基板を用いるのであれば、サーミスタ端子とは逆側にスルーホールを形成し、基板内部に形成された配線を用いて実装エリアまで導き、別のスルーホールで基板裏面配線パターンと導通させることができる。
【０００９】
しかし、４層基板を用いると製造コストが大幅に上がってしまうため、商業上の理由からは２層基板を用いることが要求される。
【００１０】
本発明は係る問題に鑑みてなされたものであり、電池パックとして組み立てた際に端子窓からスルーホールが露出することなく、２層基板を適用可能で、かつ小型化可能な電池パック用保護回路基板及びこれを用いた電池パックを提供することを目的とする。
【課題を解決するための手段】
【００１１】
上記目的を達成するため、本発明は、第１の態様として、基板の表面に−端子、サーミスタ端子及び＋端子が形成された電池パック用の保護回路基板であって、−端子、サーミスタ端子及び＋端子は、エレクトロマイグレーション違反とならない間隔を空けて配置されており、−端子、サーミスタ端子及び＋端子の少なくとも何れかは、他の端子と隣接する側に切り欠きを備え、他の端子は、エレクトロマイグレーション違反とならない間隔を保ったまま切り欠きへ張り出すように形成された凸部を備え、凸部には、電池パックのケースに収容された際に隠蔽される位置にスルーホールが形成されたことを特徴とする電池パック用の保護回路基板を提供するものである。
【００１２】
本発明の第１の態様においては、各端子は矩形状であることが好ましい。これに加えて、切り欠き及び凸部は、それぞれ端子の角の近傍に形成されていること、又は、切り欠き及び凸部は、それぞれ端子の辺の略中央部に形成されていることが好ましい。
【００１３】
本発明の第１の態様の上記のいずれの構成においても、基板は、２層基板であることが好ましい。
【００１４】
また、上記目的を達成するため、本発明は、第２の態様として、上記本発明の第１の態様のいずれかの構成にかかる電池パック用の保護回路基板を用いた電池パックを提供するものである。
【発明の効果】
【００１５】
本発明によれば、電池パックとして組み立てた際に端子窓からスルーホールが露出することなく、２層基板を適用可能で、かつ小型化可能な電池パック用保護回路基板及びこれを用いた電池パックを提供できる。
【発明を実施するための最良の形態】
【００１６】
本発明の好適な実施の形態について説明する。図１に、本実施形態にかかる電池パック用保護回路基板の構成を示す。
保護回路基板１は、＋端子部２、サーミスタ端子部３、−端子部４、＋テスト端子部５、−テスト端子部６を有する。
図２に、−端子部４、サーミスタ端子部３及び＋端子部２を拡大して示す。−端子部４にはサーミスタ端子部３と隣接する側に−端子スルーホール部７が設けられている。サーミスタ端子部３には−端子部４と隣接する側にサーミスタ端子切り欠き部８が、＋端子部２と隣接する側にサーミスタ端子スルーホール部９がそれぞれ設けられている。＋端子部２には、サーミスタ端子部３と隣接する側に、＋端子切り欠き部１０が設けられている。
図から明らかなように、−端子部４、サーミスタ端子部３、及び＋端子部２のそれぞれの間には、配線パターンは設けられておらず、これらの間隔はエレクトロマイグレーション違反を防止するのに最低限必要となる間隔が確保されている。
【００１７】
図３に、電池パックとして組み立てた状態での保護回路基板１の端子部を示す。電池パックのケースには端子窓が複数設けられている。＋端子窓１１からは＋端子部２が、サーミスタ端子窓１２からはサーミスタ端子部３が、−端子窓１３からは−端子部４がそれぞれ露出している。
【００１８】
保護回路基板１の各端子にはスルーホールを設ける必要がある。図２に示すように、隣接する端子に凹部（切り欠き部）を設け、そこに端子の一部が突出するように端子を形成することにより、図３に示すように、電池パックとして完成した際に、端子窓からスルーホールが見えてしまうことを防げる。すなわち、端子窓の外側にスルーホールを配置できる。
【００１９】
隣接する端子に切り欠き部を設けることにより、隣の端子と接触することを防ぎ、エレクトロマイグレーション防止のために一定の距離が確保されている。
【００２０】
携帯電話本体電池端子の接続信頼性を確保するためは、保護回路基板（２層）を小型化して幅を狭くしても、端子部の面積はできるだけ大きくしなければならない。そうすると、基板の幅に対して端子部の幅をいっぱいに大きくしなければならないため、スルーホールは幅方向で端子窓の外側に配置することはできない。
このため、本実施形態のように、隣接する端子の切り欠き部へ突出するように張り出した部分にスルーホールを設けることで、端子窓からスルーホールが見えることを防げる。
【００２１】
なお、ここでは端子部の角の近傍に切り欠き部やスルーホール形成のために出っ張らせる部分を設けた構成を例としたが、エレクトロマイグレーション違反を防止しつつ、端子窓の枠外にスルーホールを配置できるのであれば、切り欠き部や出っ張らせる部分を設ける位置は任意である。例えば、図４に示すように、端子部の中央近傍に出っ張りや切り欠きを設けても良い。
【００２２】
このように、本実施形態にかかる電池パック用保護回路基板は、電池パックとして完成した状態では端子窓からスルーホールが見えない上に、２層基板を適用可能で、かつ小型化可能である。
【００２３】
なお、上記実施形態は本発明の好適な実施の一例であり、本発明はこれに限定されることはない。例えば、上記実施形態においては、−端子部とサーミスタ端子部とにスルーホールを設ける構成を例としたが、図５に示すように、＋端子部にもスルーホールを設け、サーミスタ端子部にも切り欠きを設ける構成であっても良い。
また、端子の数や並び順は任意であることは言うまでもない。
さらに、経済上の観点から２層基板を適用することが好ましいものの、４層基板であっても何ら制約を受けることなく適用可能であることはいうまでもない。
このように、本発明は様々な変形が可能である。
【図面の簡単な説明】
【００２４】
【図１】本発明の好適な実施の形態にかかる電池パック用保護回路基板の構成を示す図である。
【図２】保護回路基板の端子部を拡大して示す図である。
【図３】電池パックとして組み立てた状態での保護回路基板の端子部を示す図である。
【図４】電池パック用保護回路基板の別の構成を示す図である。
【図５】＋端子部にもスルーホールを設けた電池パック用保護回路基板の構成を示す図である。
【符号の説明】
【００２５】
１    保護回路基板
２    ＋端子部
３    サーミスタ端子部
４    −端子部
５    ＋テスト端子部
６    −テスト端子部
７    ＋端子スルーホール
８    −端子スルーホール
９    サーミスタ端子切り欠き部
１０    ＋端子切り欠き部
１１    ＋端子窓
１２    サーミスタ端子窓
１３    −端子窓
【図１】
2008098061.tif 000003
【図２】
2008098061.tif 000004
【図３】
2008098061.tif 000005
【図４】
2008098061.tif 000006
【図５】
2008098061.tif 000007